(57)【特許請求の範囲】
【請求項１】
第一軸を中心として一年で一回転する月車と、
前記第一軸を中心として一日で一回転する小月日回し車と、
前記小月日回し車に設けられ、変位しながら前記小月日回し車と同期して回転する小月日送りつめと、
日回しつめを有し、一日で一回転する日回し車と、
月末つめと、前記日回しつめに押される歯部とを有し、第二軸を中心に一か月で一回転する日車と、
を備え、
前記小月日送りつめは、一か月の日数が３０日以下の小月の末日に前記月末つめを押して前記日車を回転させることを特徴とするオートカレンダ機構。
【請求項２】
前記小月と一か月の日数が３１日の大月とに対応する凸部と凹部とを外周面に有し、前記月車と同軸に設けられるとともに前記月車と同期して回転する月カムと、
前記小月日回し車に対して回転可能に設けられ、一端部が前記月カムの前記凸部と前記凹部とに摺接するとともに、前記小月日回し車と同期して前記月カムの周りを回転する小月日送りレバーと、
を備え、
前記小月日送りつめは、前記小月日送りレバーに設けられていることを特徴とする請求項１に記載のオートカレンダ機構。
【請求項３】
日針を運針させる日針車と、
前記日車と同期して前記第二軸を中心に回転し、前記第二軸からの離間距離が最大となる最外部と、前記第二軸からの離間距離が最小となる最内部とを有する日カムと、
前記日カムと接する従節部と、前記日針車と噛合するレバー歯部と、を有し、前記月車に対して最も接近する初期位置と、前記月車から最も離間する終期位置とを往復移動可能な針レバーと、
前記針レバーを前記月車に接近する方向に付勢する付勢部材と、
前記針レバーに設けられ、各月の末日に前記月車を押して回転させる月送りつめと、
を備え、
前記針レバーは、前記日カムの回転にともなって前記初期位置から前記終期位置に移動し、前記従節部が前記最外部から前記最内部へ移動するときに前記付勢部材の付勢力によって前記終期位置から前記初期位置に移動し、
前記月送りつめは、前記針レバーが前記終期位置から前記初期位置に移動するのに対応して、前記月車を回転させることを特徴とする請求項１または２に記載のオートカレンダ機構。
【請求項４】
前記日車は、各月の末日に前記月車を押して回転させる月送りつめを備えたことを特徴とする請求項１または２に記載のオートカレンダ機構。
【請求項５】
前記日回し車と前記小月日回し車とが同軸に設けられていることを特徴とする請求項１から４のいずれか１項に記載のオートカレンダ機構。
【請求項６】
請求項１から５のいずれか１項に記載のオートカレンダ機構を備えたことを特徴とするムーブメント。
【請求項７】
請求項６に記載のムーブメントを備えたことを特徴とする時計。
【発明の詳細な説明】
【技術分野】
【０００１】
この発明は、オートカレンダ機構、ムーブメントおよび時計に関するものである。
【背景技術】
【０００２】
月日の表示が可能なカレンダ付時計において、一か月の日数が３０日以下の小月の月末に二日分の日送りを行うことにより、日修正を最低限に抑えるようにしたカレンダ機構（以下、「オートカレンダ機構」という。）は周知である（例えば、特許文献１および非特許文献１参照）。
【０００３】
特許文献１には、５個の駆動歯を有する月衛星部と、日付ランナと同心で月衛星部と直接駆動関係にある固定遊星トゥースセットと、を有する遊星歯車機構を備えたオートカレンダ機構が記載されている。
また、非特許文献には、制御カムと、制御カムにより操作される月表示ロッキングアームと、月表示ロッキングアーム回しつめと、日車回しつめと、互いに同軸となるように配置された月星車（月車）および日車と、を備えたオートカレンダ機構が記載されている。
【先行技術文献】
【特許文献】
【０００４】
【特許文献１】特許第４６２４８４８号公報
【非特許文献】
【０００５】
【非特許文献１】松崎壮一郎、「クロノス日本版」、（株）シムサム・メディア、２０１１年２月３日、ｐ１１４−ｐ１１５
【発明の概要】
【発明が解決しようとする課題】
【０００６】
しかしながら、特許文献１に記載の従来技術にあっては、複数の歯車を用いた遊星歯車機構を備えるため、構成が複雑である。また、非特許文献１に記載の従来技術にあっては、月車と日車とが同軸となるように配置されているため、月日の表示レイアウトが制限される。
【０００７】
そこで、本発明は、上記事情に鑑みたものであって、簡単に構成できるとともに、月日の表示レイアウトの自由度に優れたオートカレンダ機構、ムーブメントおよび時計の提供を課題とする。
【課題を解決するための手段】
【０００８】
上記の課題を解決するため、本発明のオートカレンダ機構は、第一軸を中心として一年で一回転する月車と、前記第一軸を中心として一日で一回転する小月日回し車と、前記小月日回し車に設けられ、変位しながら前記小月日回し車と同期して回転する小月日送りつめと、日回しつめを有し、一日で一回転する日回し車と、月末つめと、前記日回しつめに押される歯部とを有し、第二軸を中心に一か月で一回転する日車と、を備え、前記小月日送りつめは、一か月の日数が３０日以下の小月の末日に前記月末つめを押して前記日車を回転させることを特徴としている。
【０００９】
本発明によれば、従来技術のように複雑な遊星歯車機構を用いることなく、月車と、小月日回し車と、小月日送りつめと、日回し車と、月末つめを有する日車と、により、簡単な構成でオートカレンダ機構を構成できる。また、月車が第一軸を中心として回転し、日車が第二軸を中心として回転するので、月車と日車とが同軸に配置された従来技術と比較して、月車と連動する月表示ディスクや月針等の月表示手段と、日車と連動する日表示ディスクや日針等の日表示手段とを、それぞれ自由にレイアウトできる。したがって、簡単に構成できるとともに、月日の表示レイアウトの自由度に優れたオートカレンダ機構とすることができる。
【００１０】
また、前記小月と一か月の日数が３１日の大月とに対応する凸部と凹部とを外周面に有し、前記月車と同軸に設けられるとともに前記月車と同期して回転する月カムと、前記小月日回し車に対して回転可能に設けられ、一端部が前記月カムの前記凸部と前記凹部とに摺接するとともに、前記小月日回し車と同期して前記月カムの周りを回転する小月日送りレバーと、を備え、前記小月日送りつめは、前記小月日送りレバーに設けられていることを特徴としている。
【００１１】
本発明によれば、月車と同期して回転する月カムと、小月と大月とに対応する凸部と凹部とを有する外周面に摺接して月カムの周りを回転する小月日送りレバーと、を備えているので、簡単な構成で確実に小月と大月とに対応して小月日送りつめを変位させるとともに、小月日送りつめで小月の末日に日車を回転させることができる。したがって、簡単に構成できるとともに、信頼性に優れたオートカレンダ機構とすることができる。
【００１２】
また、日針を運針させる日針車と、前記日車と同期して前記第二軸を中心に回転し、前記第二軸からの離間距離が最大となる最外部と、前記第二軸からの離間距離が最小となる最内部とを有する日カムと、前記日カムと接する従節部と、前記日針車と噛合するレバー歯部と、を有し、前記月車に対して最も接近する初期位置と、前記月車から最も離間する終期位置とを往復移動可能な針レバーと、前記針レバーを前記月車に接近する方向に付勢する付勢部材と、前記針レバーに設けられ、各月の末日に前記月車を押して回転させる月送りつめと、を備え、前記針レバーは、前記日カムの回転にともなって前記初期位置から前記終期位置に移動し、前記従節部が前記最外部から前記最内部へ移動するときに前記付勢部材の付勢力によって前記終期位置から前記初期位置に移動し、前記月送りつめは、前記針レバーが前記終期位置から前記初期位置に移動するのに対応して、前記月車を回転させることを特徴としている。
【００１３】
本発明によれば、針レバーは、日カムの回転にともなって初期位置から終期位置に移動するので、針レバーの歯部と噛合する日針車を一方に回転させるとともに、日針を初期位置に対応する位置（例えば月の初日に対応する位置）から終期位置に対応する位置（例えば月の末日に対応する位置）に移動させることができる。また、針レバーは、従節部が最外部から最内部へ移動するときに付勢部材の付勢力によって終期位置から初期位置に移動するので、針レバーの歯部と噛合する日針車を他方に回転させるとともに、日針を終期位置に対応する位置（例えば月の末日に対応する位置）から初期位置に対応する位置（例えば月の初日に対応する位置）に瞬時に移動させることができる。このように、本発明によれば、日針の往復運針動作を行うことができるので、趣向性に優れた日表示を実現できる。さらに、日カムは日車と同期して回転するので、小月と大月とに関わらず、上述の日針の往復運針動作を行うことができる。また、月送りつめは、針レバーが終期位置から初期位置に移動するのに対応して、月車を回転させるので、小月と大月とに関わらず、月車と連動する月表示ディスクや月針等の月表示手段の月を送ることができる。
【００１４】
また、前記日車は、各月の末日に前記月車を押して回転させる月送りつめを備えたことを特徴としている。
【００１５】
本発明によれば、日車に月送りつめを設けた簡単な構成で月表示手段の月を送ることができる。
【００１６】
また、前記日回し車と前記小月日回し車とが同軸に設けられていることを特徴としている。
【００１７】
本発明によれば、日回し車と小月日回し車とを同軸に設けることにより、オートカレンダ機構の小型化ができる。
【００１８】
また、本発明のムーブメントは、上述のオートカレンダ機構を備えたことを特徴としている。
また、本発明の時計は、上述のムーブメントを備えたことを特徴としている。
【００１９】
本発明によれば、簡単に構成できるとともに、月日の表示レイアウトの自由度に優れたオートカレンダ機構を備えているので、信頼性と趣向性に優れたムーブメントおよび時計とすることができる。
【発明の効果】
【００２０】
本発明によれば、従来技術のように複雑な遊星歯車機構を用いることなく、月車と、小月日回し車と、小月日送りつめと、日回し車と、月末つめを有する日車と、により、簡単な構成でオートカレンダ機構を構成できる。また、月車が第一軸を中心として回転し、日車が第二軸を中心として回転するので、月車と日車とが同軸に配置された従来技術と比較して、月車と連動する月表示ディスクや月針等の月表示手段と、日車と連動する日表示ディスクや日針等の日表示手段とを、それぞれ自由にレイアウトできる。したがって、簡単に構成できるとともに、月日の表示レイアウトの自由度に優れたオートカレンダ機構とすることができる。
【図面の簡単な説明】
【００２１】
【図１】時計、ムーブメントおよびオートカレンダ機構の平面図である。
【図２】日送り機構の平面図である。
【図３】月送り機構の平面図である。
【図４】オートカレンダ機構における動力伝達経路を示すブロック図である。
【図５】実施形態の第一変形例に係るオートカレンダ機構の説明図である。
【図６】実施形態の第二変形例に係るオートカレンダ機構の説明図である。
【発明を実施するための形態】
【００２２】
以下、本発明の実施形態について図面を参照して説明する。
一般に、時計の駆動部分を含む機械体を「ムーブメント」と称する。このムーブメントに文字板や針等を取り付けて、時計ケースの中に入れて完成品にした状態を時計の「コンプリート」と称する。時計の基板を構成する地板の両側のうち、時計ケースのガラスのある方の側、すなわち文字板のある方の側をムーブメントの「裏側」と称する。また、地板の両側のうち、時計ケースのケース裏蓋のある方の側、すなわち文字板と反対の側をムーブメントの「表側」と称する。
【００２３】
図１は、時計１、ムーブメント１００およびオートカレンダ機構１０の平面図である。なお、図１は、ムーブメント１００の裏側から見た平面図である。また、図１では、便宜上、文字板２を透過して各構成部品を図示している。
図１に示すように、時計１は、時に関する情報を示す目盛りなどを含む文字板２を備えている。時計１は、時を示す不図示の時針、分を示す不図示の分針および秒を示す不図示の秒針を備えている。
【００２４】
また、時計１は、月表示領域４と、日表示領域６と、を有している。
月表示領域４は、概ね時計の６時の位置と時計１の中心との間に設けられた月表示窓４ａを備えている。時計１は、例えば月表示ディスク５に記載された月を表す文字（例えば、図１においては、「２月」を表す「ＦＥＢ」の文字）を月表示窓４ａから露出させることで、使用者に月の表示を行っている。
日表示領域６は、概ね時計の１２時から６時の範囲に設けられている。時計１は、日付を示す日針７を有している。時計１は、文字板２に記載された「１」から「３１」のいずれかの文字を日針７が指示することで、使用者に日の表示を行っている。
ムーブメント１００は、巻真８と、巻真８の先端に設けられたりゅうず９と、を有している。ムーブメント１００は、りゅうず９を時計ケース１ａから引き出したあと、所定方向に回転させることにより、後述の日車５０と月車８０とを回転させて日付と月とを修正することができる。
【００２５】
ムーブメント１００は、オートカレンダ機構１０を有している。オートカレンダ機構１０は、日送り機構２０と月送り機構６０とを有する。以下に各図を用いて、日送り機構２０と月送り機構６０とを有するオートカレンダ機構１０について、詳細に説明する。なお、以下の説明では、図１以降の各平面図における時計回り方向をＣＷ方向といい、反時計回り方向をＣＣＷという。
【００２６】
（日送り機構）
図２は、日送り機構の平面図であり、図３は月送り機構の平面図である。
図２に示すように、日送り機構２０は、主に筒車２１と、小月日回し車２５と、小月日送りレバー３０と、月カム２７と、日回し車４０と、日車５０と、日ジャンパ５６と、を備えている。
筒車２１は、時計ケース１ａ内に収容された例えばモータや香箱車等の不図示の動力源から動力が伝達されて回転する。筒車２１は、所定の軸を中心として、ＣＷ方向に回転する。筒車２１の回転は、例えば日の裏車２２や日回し中間車２３等の輪列を介して、小月日回し車２５に伝達される。
【００２７】
小月日回し車２５は、例えば環状に形成されており、日回し中間車２３の日回し中間かな２３ａと噛合している。小月日回し車２５は、第一軸Ｃ１を中心として、ＣＣＷ方向に一日（すなわち２４時間）で一回転する。環状に形成された小月日回し車２５の中央は、空間部となっている。空間部には、後述の月カム２７が小月日回し車２５と同軸に設けられている。
【００２８】
小月日回し車２５には、小月日送りレバー３０が設けられている。小月日送りレバー３０は、環状に形成された小月日回し車２５の内縁部に沿うように配置されており、全体として略円弧状に形成されている。小月日送りレバー３０は、小月日回し車２５に取り付けられており、小月日回し車２５と同期して月カム２７の周りを回転する。
小月日送りレバー３０は、一端が月カム２７に摺接可能な摺接部３１とされ、他端が後述の小月日送りつめばね３７と当接する当接部３３となっている。当接部３３は、小月日送りつめばね３７により、径方向の外側に向かって付勢されている。小月日送りレバー３０は、当接部３３の近傍において、小月日回し車２５に第一軸Ｃ１と平行な軸を中心として回転可能に支持されている。
【００２９】
小月日送りレバー３０の摺接部３１と当接部３３との間には、小月日回し車２５の径方向の外側に向かって突出するように、小月日送りつめ３５が形成されている。
小月日送りつめ３５は、後述の日車５０に設けられた月末つめ５３を押して、日車５０を回転させている。小月日送りレバー３０および小月日送りつめ３５は、小月日回し車２５の回転に対応して、第一軸Ｃ１周りをＣＣＷ方向に一日で一回転する。詳細は後述するが、このとき、小月日送りつめ３５は、径方向の内側と外側とに変位しながら回転する。
【００３０】
また、小月日回し車２５には、小月日送りつめばね３７が設けられている。小月日送りつめばね３７は、長尺のばね部３８を有している。ばね部３８は、第一軸Ｃ１を中心とする弧状に湾曲された状態で小月日回し車２５の内縁部に沿うように配置されており、基端部が小月日回し車２５に固定されるとともに、先端部３８ａが小月日送りレバー３０の当接部３３と当接している。これにより、小月日送りレバー３０の当接部３３は、径方向の外側に向かって付勢される。また、当接部３３とは反対側に設けられた摺接部３１は、小月日送りつめばね３７の付勢力により月カム２７に対して押圧されるとともに、小月日回し車２５の回転により月カム２７に対して摺接する。
【００３１】
月カム２７は、第一軸Ｃ１を中心として一か月あたり３０°ピッチで１ステップずつＣＣＷ方向に回転し、一年で一回転する。月カム２７は、後述の月車８０（図３参照）と同軸に設けられるとともに月車８０と同期して回転する。
月カム２７の外周面には、複数の凸部２７ａ〜２７ｅが設けられている。月カム２７の凸部２７ａ〜２７ｅは、それぞれ月カム２７の外周面を第一軸Ｃ１周りに３０°ピッチで１２等分してＣＣＷ方向に順に１月から１２月に割り振ったときに、一か月の日数が３０日以下の小月（２月、４月、６月、９月および１１月）に対応した位置に形成されている。なお、複数の凸部２７ａ〜２７ｅの間は凹部となっており、一か月の日数が３１日の大月に対応した位置に形成されている。
【００３２】
小月日送りレバー３０は、摺接部３１が月カム２７の外周面に摺接した状態で、第一軸Ｃ１周りを回転する。小月日送りつめ３５の先端部は、摺接部３１が凸部２７ａ〜２７ｅと摺接しているときに最も径方向の外側に位置し、摺接部３１が凹部と摺接しているときに最も径方向の内側に位置する。このように、月カム２７は、小月日回し車２５と同期して回転する小月日送りレバー３０の回転にともなって、小月日送りつめ３５を径方向の内側と外側とに変位させている。以下、小月日送りつめ３５が最も径方向の内側に配置された位置を「最内位置」といい、小月日送りつめ３５が最も径方向の外側に配置された位置を「最外位置」という。
【００３３】
小月日回し車２５の回転は、例えば日回し伝え車２４を介して、日回し車４０に伝達される。日回し車４０は、所定の軸を中心として、ＣＣＷ方向に一日（すなわち２４時間）で一回転する。
日回し車４０には、日回しつめ４２が設けられている。日回しつめ４２は、平面視で円弧状に形成されたばね部４３と、ばね部４３の先端に設けられた当接部４５と、を有しており、日回し車４０に対して軸方向に重なるように配置される。日回しつめ４２は、日回し車４０と一体的に設けられており、日回し車４０と同期して回転する。ばね部４３は、周方向および径方向に弾性変形可能とされている。当接部４５は、日回し車４０の回転にともなって、日回し車４０の中心軸周りに回転することにより、日車歯部５１（請求項の「歯部」に相当。）を押して日車５０を回転させる。
【００３４】
日車５０は、円盤状に形成されており、外周縁に日車歯部５１が形成されている。日車歯部５１は、大月の一か月の日数である３１日に対応して、３６０°／３１＝約１１．６°ピッチで３１歯形成されている。日車歯部５１は、一日で一回転する日回しつめ４２の当接部４５によって、一日で一回押される。これにより、日車５０は、第二軸Ｃ２を中心として、日車歯部５１のピッチ角（約１１．６°）と同じ角度ピッチで、一日に１ステップずつＣＷ方向に回転し、一か月（すなわち３１日）で一回転する。
【００３５】
日車５０は、月末つめ５３を有している。月末つめ５３は、本体部５４が日車５０の径方向に沿って延びるように設けられている。月末つめ５３の一端は、日車歯部５１よりも外側に突出したつめ部５５となっている。つめ部５５は、小月の末日において、例えば月末つめ５３の本体部５４が例えば第一軸Ｃ１と第二軸Ｃ２とを接続する直線に沿うように位置したとき（例えば図２の状態）に、最外位置にある小月日送りレバー３０の小月日送りつめ３５に押されるようになっている。これにより、日車５０は、小月の末日において、小月日送りつめ３５により１ステップ回転する。
【００３６】
日車５０には、日ジャンパ５６が当接している。日ジャンパ５６は、日車５０の回転方向の位置を規正するための部品であって、先端部５７が自由端とされた弾性変形可能な日ジャンパばね部５８を備えている。日ジャンパばね部５８の先端部５７は、日車歯部５１に係合可能となっている。日ジャンパ５６は、先端部５７が日車歯部５１に係合することにより、日車５０の回転を規正する。これにより、日車５０は、日車歯部５１のピッチ角（約１１．６°）と同じ角度ピッチで、一日に１ステップずつ回転可能となっている。
【００３７】
（月送り機構）
図３に示すように、月送り機構６０は、主に日カム６１と、針レバー７０と、日針車６７と、月車８０と、月ジャンパ８６と、戻し車７８とを備えている。
日カム６１は、日車５０と同期しており、第二軸Ｃ２を中心として、ＣＷ方向に一か月（すなわち３１日）で一回転する。日カム６１の外周面は、ＣＣＷ方向に向かうにしたがって渦巻き状に半径が大きくなるように形成されたカム面６２となっている。カム面６２は、第二軸Ｃ２からの離間距離が最大となる最外部６３と、第二軸Ｃ２からの離間距離が最小となる最内部６４と、を有している。
【００３８】
針レバー７０は、従節部７１と、レバー本体部７３とにより、全体としてＬ字状に形成されており、従節部７１とレバー本体部７３との接続部分が軸支部７２となっており、所定の軸を中心として往復回動可能に支持されている。
従節部７１は、先端が日カム６１のカム面６２に向かって屈曲形成されている。
レバー本体部７３は、軸支部７２とは反対側の端部が扇形状に形成されるとともに、縁部にレバー歯部７４が形成されている。レバー歯部７４は、後述の日針車６７と噛合している。
【００３９】
針レバー７０は、日針車６７を介して後述の戻し車７８（請求項の「付勢部材」に相当。）と連結されている。針レバー７０は、戻し車７８によって軸支部７２の軸を中心としてＣＷ方向に付勢されている。これにより、従節部７１は、日カム６１のカム面６２に対して押圧されるとともに、日カム６１の回転により日カム６１に対して摺接する。
【００４０】
針レバー７０の従節部７１は、日カム６１の回転にともなってカム面６２を摺接しながら相対移動する。
針レバー７０は、従節部７１が最内部６４に位置したときに、軸支部７２の軸を中心としてＣＷ方向に最大振れた位置となる。以下、針レバー７０がＣＷ方向に最大振れた位置を「初期位置」という。また、針レバー７０は、従節部７１が最外部６３に位置したときに、軸支部７２の軸を中心としてＣＣＷ方向に最大振れた位置となる。以下、針レバー７０がＣＣＷ方向に最大振れた位置を「終期位置」という。なお、図３においては、初期位置にある針レバー７０を二点鎖線で図示し、終期位置にある針レバー７０を実線で図示している。ここで、前述のとおり日カム６１は、一か月で一回転する。したがって、針レバー７０は、初期位置と終期位置との間を一か月で一回往復移動する。
【００４１】
レバー本体部７３には、軸支部７２とレバー歯部７４との間に月送りつめ７５が設けられている。月送りつめ７５は、レバー本体部７３を挟んで日カム６１とは反対側に配置された月車８０に向かって突出するように形成されている。月送りつめ７５は、レバー本体部７３に対して、所定の回動軸を中心として回動可能に支持されている。月送りつめ７５は、各月の末日に月車８０を押して回転させる。
【００４２】
また、レバー本体部７３の中央部分には、レバー本体部７３の延在方向に沿うように、板ばね部７６が形成されている。板ばね部７６は、レバー歯部７４側の一端部がレバー本体部７３に固定されるとともに、軸支部７２側の他端部が自由端とされており、全体が弾性変形可能となっている。板ばね部７６は、他端部が月送りつめ７５の一部と当接しており、回動軸を中心として月送りつめ７５をＣＣＷ方向に向かって付勢している。
【００４３】
針レバー７０のレバー歯部７４は、日針車６７と噛合している。日針車６７は、日針７（図１参照）と連結されて日針７を回転させる。
日針車６７は、針レバー７０が初期位置にあるとき、最もＣＣＷ方向に回転した状態となる。このとき、日針７は、文字板２に記載された日付を表す「１」から「３１」の数字のうち、「１」を指示する。また、日針車６７は、針レバー７０が終期位置にあるとき、最もＣＷ方向に回転した状態となる。このとき、日針７は、文字板２に記載された日付を表す「１」から「３１」の数字のうち、「３１」を指示する。これにより、日針７は、日カム６１の回転および針レバー７０の移動に対応して、一日ごとにステップ運針される。
また、日針車６７は、後述の戻し車７８の付勢力によって針レバー７０の従節部７１が最外部６３から最内部６４に瞬時に移動し、針レバー７０が終期位置から初期位置に移動することにより、高速でＣＣＷ方向に回転する。このとき、日針７は、高速でＣＣＷ方向に回転し、文字板２に記載された日付を表す「３１」の数字を指示した状態から、「１」の数字を指示する状態に瞬時に移行する。このように、日針７は、日表示領域６において扇状に往復運針される。
【００４４】
針レバー７０を挟んで日カム６１とは反対側には、月車８０が第一軸Ｃ１を中心として回転可能に設けられている。月車８０は、円盤状に形成されており、外周縁に月車歯部８１が形成されている。月車歯部８１は、一年の月数である１２月に対応して、３０°ピッチで１２歯形成されている。月車歯部８１は、針レバー７０に設けられた月送りつめ７５によって、針レバー７０が終期位置から初期位置に移動する際に、一回押される。針レバー７０は、一か月で一往復する。したがって、月車歯部８１は、月送りつめ７５によって一か月で一回押される。
【００４５】
月車８０には、月ジャンパ８６が当接している。月ジャンパ８６は、月車８０の回転方向の位置を規正するための部品であって、先端部８７が自由端とされた弾性変形可能な月ジャンパばね部８８を備えている。月ジャンパばね部８８の先端部８７は、月車歯部８１に係合可能となっている。月ジャンパ８６は、先端部８７が月車歯部８１に係合することにより、月車８０の回転を規正する。これにより、月車８０は、第一軸Ｃ１を中心として一か月あたり３０°ピッチで１ステップずつＣＣＷ方向に回転し、一年で一回転する。
また、月車８０には、月表示ディスク５（図１参照）が設けられている。月表示ディスク５は、月車８０と同軸かつ軸方向に重ねて設けられるととともに、月車８０と同期して回転する。月表示ディスク５の表面には、各月を表す「ＪＡＮ」（１月）〜「ＤＥＣ」（１２月）の文字が、ＣＷ方向に３０°ピッチで並んで記載されている。
【００４６】
戻し車７８は、日針車６７を介して針レバー７０と連結しており、針レバー７０を月車８０に接近する方向に付勢している。戻し車７８は、例えば本体部７８ａが円環状に形成されており、中央の空間部分にひげぜんまい部７９を有している。ひげぜんまい部７９は、一端が時計１の輪列受（不図示）に固定されるとともに、他端が戻し車７８の本体部７８ａに接続されている。
ひげぜんまい部７９は、戻し車７８と同軸に設けられており、例えばアルキメデス曲線に沿うように、ＣＣＷ方向周りに螺旋状に形成されている。ひげぜんまい部７９は、戻し車７８がＣＣＷ方向に回転することにより縮径して弾性変形する。
【００４７】
戻し車７８は、針レバー７０が初期位置から終期位置に移動することにより、日針車６７を介して、ＣＣＷ方向に回転させられる。これにより、戻し車７８のひげぜんまい部７９には、戻し車７８をＣＷ方向に回転させるように付勢力が蓄積される。また、針レバー７０が終期位置に到達し、従節部７１が日カム６１の最外部６３を通過した直後に、ひげぜんまい部７９の付勢力が開放されるとともに、戻し車７８がＣＷ方向に高速回転する。これにより、針レバー７０は、終期位置から初期位置に瞬時に移動することができる。
【００４８】
（作用）
図４は、オートカレンダ機構における動力伝達経路を示すブロック図である。なお、図４において、実線による矢印は動力伝達の方向を示しており、破線による矢印は付勢力の作用を示しており、二重線は同軸に結合されている状態を示している。
次いで、上述したオートカレンダ機構１０の作用について説明する。なお、以下におけるオートカレンダ機構１０の構成部品の符号については、図１から図４を適宜参照されたい。また、以下では、月の初日から末日を経て、翌月の初日になるまでのオートカレンダ機構１０の作用について説明する。また、以下の説明において、小月の末日におけるオートカレンダ機構１０の動作は、２月を除く４月、６月、９月および１１月の末日におけるオートカレンダ機構１０の動作に相当する。
【００４９】
図４に示すように、モータや香箱車等の不図示の動力源からの動力は、筒車２１や日の裏車２２、日回し中間車２３等の輪列を介して小月日回し車２５に伝達される。これにより、小月日回し車２５は、第一軸Ｃ１を中心としてＣＣＷ方向に一日あたり一回転の速度で回転する。また、小月日回し車２５に設けられた小月日送りつめ３５は、小月日回し車２５と同期して、第一軸Ｃ１周りのＣＣＷ方向に一日あたり一回転の速度で回転する。
【００５０】
また、小月日回し車２５に伝達された動力は、小月日回し車２５と噛合する日回し伝え車２４を介して、日回し車４０に伝達される。これにより、日回し車４０は、所定の軸を中心としてＣＣＷ方向に一日あたり一回転の速度で回転する。また、日回し車４０に設けられた日回しつめ４２は、日回し車４０と同期して、所定の軸周りのＣＣＷ方向に一日あたり一回転の速度で回転する。
【００５１】
日回しつめ４２の当接部４５は、回転により日車５０の日車歯部５１に当接した後、時刻の経過にともない日車歯部５１を押す。なお、日回しつめ４２の当接部４５が日車５０の日車歯部５１に当接する時間は、一般に日が替わる午前０時前の所定時間（例えば午後２３時から翌日午前０時までの間）に設定される。そして、日車歯部５１が日回しつめ４２の当接部４５により押されて所定角度だけＣＷ方向に回転すると、日ジャンパ５６の先端部５７と日車歯部５１との係合が一旦解除されて再度係合する。これにより、日車５０は、所定の角度ピッチで一日に１ステップずつＣＷ方向に回転し、一か月で一回転する。
【００５２】
また、日車５０と連結されて同期して回転する日カム６１は、一日に１ステップずつＣＷ方向に回転し、一か月で一回転する。
ここで、針レバー７０は、従節部７１が日カム６１の回転によって最内部６４から最外部６３に向かって相対的に移動することにより、初期位置（月の初日に対応した位置）から終期位置（月の末日に対応した位置）に向かって移動する。これにより、針レバー７０のレバー歯部７４と噛合する日針車６７は、一日で１ステップずつＣＷ方向に回転する。また、日針車６７に取り付けられた日針７は、日針車６７の回転に対応して、日が替わる午前０時頃に一日分だけ運針される。このように、オートカレンダ機構１０は、月の初日から末日かけて日針７を１ステップずつ運針させる。
【００５３】
そして、月の末日から翌月の初日に切り替わるとき、オートカレンダ機構１０は、以下のように日針７を運針させる。
まず、大月の動作について説明する。
大月の場合、末日の前日である３０日に、小月日送りつめ３５は、月カム２７により最内位置に配置されるとともに、回転により月末つめ５３に当接することなく、時刻の経過にともない回転する。したがって、日車５０は、小月日送りつめ３５により押されることなく、日ジャンパ５６によって位置が規制された状態で停止している。また、日車５０と同期して回転する日カム６１も、回転することなく停止している。
そして、日回し車４０に設けられた日回しつめ４２は、回転により日車５０の日車歯部５１に当接した後、時刻の経過にともない日車歯部５１を押す。そして、日車歯部５１が日回しつめ４２の当接部４５により押され、所定角度だけＣＷ方向に回転すると、日ジャンパ５６の先端部５７と日車歯部５１との係合が一旦解除されて再度係合する。これにより、日車５０および日カム６１は、所定の角度ピッチで１ステップ回転する。
これにより、日針７は、３０日から３１日に切り替わることにより、一日分だけ運針することとなる。
そして、さらに、１日分の時刻が経過すると、日針７は、上述した動作により、３１日から１日に切り替わることにより、一日分だけ運針する。
すなわち、大月の場合、日車５０および日カム６１は、所定の角度ピッチで一日に１ステップずつ回転する。
【００５４】
次に、小月の動作について説明する。
小月の場合、小月日送りつめ３５は、末日において、月カム２７により最外位置に配置されるとともに、回転により月末つめ５３に当接した後、時刻の経過にともない月末つめ５３のつめ部５５を押す。なお、小月日送りつめ３５が月末つめ５３のつめ部５５に当接する時間は、一般に日が替わる午前０時前の所定時間（例えば午後２１時から午後２２時までの間）に設定される。そして、月末つめ５３が小月日送りつめ３５により押され、月末つめ５３と同期して回転する日車５０が所定角度だけＣＷ方向に回転すると、日ジャンパ５６の先端部５７と日車歯部５１との係合が一旦解除されて再度係合する。これにより、日車５０および日カム６１は、所定の角度ピッチで１ステップ回転する。
これにより、日針７は、３０日から３１日に切り替わることにより、一日分だけ運針することとなる。
【００５５】
さらに、日回し車４０に設けられた日回しつめ４２は、回転により日車５０の日車歯部５１に当接した後、時刻の経過にともない日車歯部５１を押す。そして、日車歯部５１が日回しつめ４２の当接部４５により押され、所定角度だけＣＷ方向に回転すると、日ジャンパ５６の先端部５７と日車歯部５１との係合が一旦解除されて再度係合する。これにより、日車５０および日カム６１は、所定の角度ピッチで１ステップ回転する。
これにより、日針７は、３１日から１日に切り替わることにより、一日分だけ運針することとなる。
上述した動作により、小月の場合、日車５０および日カム６１は、所定の角度ピッチで一日に２ステップ回転する。
換言すれば、この動作によって、日針７は、３０日から、３１日を早送りして、１日に切り替わる。
【００５６】
そして、針レバー７０の従節部７１は、日カム６１が大月の末日である３１日において１ステップ回転し、または小月の末日において２ステップ回転することにより、日カム６１の最外部６３を通過する。また、針レバー７０は、従節部７１が最外部６３を通過したあと、戻し車７８の付勢力により終期位置から初期位置に瞬時に移動する（図３における二点鎖線参照）。これにより、針レバー７０の従節部７１は、日カム６１の最内部６４に相対的に移動する。
【００５７】
このとき、大月の末日の場合、日針車６７は、針レバー７０の終期位置から初期位置への移動に対応して、瞬時にＣＣＷ方向に回転する。これにより、日針車６７に取り付けられた日針７は、末日の「３１」を指示する位置から初日の「１」を指示する位置に瞬時に移動する。
【００５８】
これに対して、小月の末日の場合、日針車６７は、月末つめ５３による日車５０および日カム６１の１ステップの回転に対応して、針レバー７０が終期位置に到達する。このとき、日針車６７は、ＣＷ方向に１ステップ回転する。また、日針車６７に取り付けられた日針７は、小月の末日である「３０」を指示する位置から「３１」を指示する位置に移動する。
次いで、日針車６７は、大月の場合と同様に、針レバー７０の終期位置から初期位置への移動に対応して、瞬時にＣＣＷ方向に回転する。これにより、日針車６７に取り付けられた日針７は、末日の「３１」を指示する位置から初日の「１」を指示する位置に瞬時に移動する。
このように、実施形態のオートカレンダ機構１０によれば、大月の末日において、日車５０が日回しつめ４２に押されて１ステップ回転することにより、日針７が一日分運針する。また、実施形態のオートカレンダ機構１０によれば、小月の末日において、月末つめ５３が小月日送りつめ３５に押されて日車５０が１ステップ回転したあと、日車５０が日回しつめ４２に押されてさらに１ステップ回転することにより、日針７が二日分運針する。
【００５９】
さらに、月の末日から翌月の初日への移行時において、針レバー７０が終期位置から初期位置へ移動することにより、月送りつめ７５は、月車８０の月車歯部８１を押す。そして、月車歯部８１が月送りつめ７５により押され、所定角度だけＣＣＷ方向に回転すると、月ジャンパ８６の先端部８７と月車歯部８１との係合が一旦解除されて再度係合する。これにより、月車８０および月カム２７は、３０°ピッチで１ステップ回転する。これにより、月車８０と連動する月表示ディスク５を回転させて、月を送ることができる。また、このとき、月カム２７の凸部２７ａ〜２７ｅの位置も変化する。したがって、小月日送りつめ３５は、大月と小月とに対応して変位することができる。
【００６０】
上記の動作を繰り返すことにより、本実施形態のオートカレンダ機構１０は、大月の末日において日車５０の一日分の日送りおよび日針７の一日分の運針を行うとともに、小月の末日において日車５０の二日分の日送りおよび日針７の二日分の運針を行い、日の表示を行う。また、本実施形態のオートカレンダ機構１０は、月の末日において、月表示ディスク５を回転させて月を送り、月の表示を行う。
【００６１】
本実施形態によれば、従来技術のように複雑な遊星歯車機構を用いることなく、月車８０と、小月日回し車２５と、小月日送りつめ３５と、日回し車４０と、月末つめ５３を有する日車５０と、により、簡単な構成でオートカレンダ機構１０を構成できる。また、月車８０が第一軸Ｃ１を中心として回転し、日車５０が第二軸Ｃ２を中心として回転するので、月車８０と日車５０とが同軸に配置された従来技術と比較して、月車８０と連動する月表示ディスク５と、日車５０と連動する日針７等の日表示手段とを、それぞれ自由にレイアウトできる。したがって、簡単に構成できるとともに、月日の表示レイアウトの自由度に優れたオートカレンダ機構１０とすることができる。
【００６２】
また、月車８０と同期して回転する月カム２７と、小月と大月とに対応する凸部２７ａ〜２７ｅと凹部とに摺接して月カム２７の周りを回転する小月日送りレバー３０と、を備えているので、簡単な構成で確実に小月と大月とに対応して小月日送りつめ３５を変位させるとともに、小月日送りつめ３５で小月の末日に日車５０を回転させることができる。したがって、簡単に構成できるとともに、信頼性に優れたオートカレンダ機構１０とすることができる。
【００６３】
また、針レバー７０は、日カム６１の回転にともなって初期位置から終期位置に移動するので、針レバー７０のレバー歯部７４と噛合する日針車６７をＣＷ方向に回転させるとともに、日針７を初期位置に対応する月の初日「１」を指示する位置から終期位置に対応する大月の末日「３１」を指示する位置に移動させることができる。また、針レバー７０は、従節部７１が最外部６３から最内部６４へ移動するときに、戻し車７８の付勢力によって終期位置から初期位置に瞬時に移動するので、針レバー７０のレバー歯部７４と噛合する日針車６７をＣＣＷ方向に回転させるとともに、日針７を終期位置に対応する大月の末日「３１」を指示する位置から、初期位置に対応する月の初日「１」を指示する位置に瞬時に移動させることができる。このように、本実施形態によれば、日針７の往復運針動作を行うことができるので、趣向性に優れた日表示を実現できる。さらに、日カム６１は日車５０と同期して回転するので、小月と大月とに関わらず、上述の日針７の往復運針動作を行うことができる。また、月送りつめ７５は、針レバー７０が終期位置から初期位置に移動するのに対応して月車８０を回転させるので、小月と大月とに関わらず、月車８０と連動する月表示ディスク５等の月表示手段の月を送ることができる。
【００６４】
また、本実施形態のムーブメント１００および時計１によれば、簡単に構成できるとともに、月日の表示レイアウトの自由度に優れたオートカレンダ機構１０を備えているので、信頼性と趣向性に優れたムーブメント１００および時計１とすることができる。
【００６５】
（実施形態の各変形例）
続いて、実施形態の各変形例について説明する。
図５は、実施形態の第一変形例に係るオートカレンダ機構１０Ａの説明図である。
実施形態のオートカレンダ機構１０は、月カム２７、小月日回し車２５および小月日送りつめ３５が第一軸Ｃ１を中心として回転し、日回し車４０および日回しつめ４２が第一軸Ｃ１とは異なる所定の軸を中心として回転するように構成されていた（図２参照）。
これに対して、図５に示す実施形態の第一変形例に係るオートカレンダ機構１０Ａのように、月カム２７、小月日回し車２５および日回し車４０を同軸に設けることにより、月カム２７、小月日回し車２５、日回し車４０、小月日送りつめ３５および日回しつめ４２が第一軸Ｃ１を中心として回転するように構成してもよい。
実施形態の第一変形例によれば、月カム２７と小月日回し車２５と日回し車４０とを同軸に設けることにより、オートカレンダ機構１０Ａの小型化ができる。
【００６６】
図６は、実施形態の第二変形例に係るオートカレンダ機構１０Ｂの説明図である。
実施形態のオートカレンダ機構１０は、日カム６１と戻し車７８とにより、針レバー７０を初期位置と終期位置との間で往復移動させることで、日針７を日表示領域６で扇状に往復運針させていた（図１参照）。
これに対して、図６に示す実施形態の第二変形例に係るオートカレンダ機構１０Ｂのように、日針７Ｂを日表示領域６でＣＷ方向に運針させてもよい。
【００６７】
図６に示すように、日車５０には、日針７Ｂが取り付けられている。日針７Ｂは、基端部が第二軸Ｃ２を中心として回転可能に支持されている。日針７Ｂの先端部は、日表示領域６において文字板２に環状に記載された日付を表す「１」から「３１」の数字を指示する。日針７Ｂは、日車５０と同期して回転することにより、ＣＷ方向に運針される。
また、日車５０には、月送りつめ７５Ｂが設けられている。月送りつめ７５Ｂは、先端が月車８０に向かって突出するように形成されている。月送りつめ７５Ｂは、基端が第二軸Ｃ２を中心としてＣＷ方向に回転可能に支持されている。月送りつめ７５Ｂは、日車５０と同期して回転し、各月の末日に月車８０を押して回転させる。
実施形態の第二変形例によれば、日車５０に月送りつめ７５Ｂを設けた簡単な構成で月車と連動する月表示ディスク５の月を送ることができる。
【００６８】
なお、本発明は、図面を参照して説明した上述の実施形態に限定されるものではなく、その技術的範囲において様々な変形例が考えられる。
【００６９】
実施形態では、針レバー７０を月車８０に接近する方向に付勢する付勢部材として、ひげぜんまい部７９を備えた戻し車７８を採用していたが、これに限定されない。したがって、針レバー７０を付勢する付勢部材として、例えばコイルバネ等を採用してもよい。
【００７０】
実施形態では、月表示手段として月表示ディスク５を採用していたが、これに限定されない。したがって、月表示手段として、文字板２に月を表す文字の記載を行うとともに月針により指示する構成としてもよい。また、実施形態および実施形態の第二変形例では、日表示手段として日針７，７Ｂを採用していたが、これに限定されない。したがって、日表示手段として、日表示ディスクに日を表す文字の記載を行うとともに、日窓から日を表す文字を露出させる構成としてもよい。
【００７１】
その他、本発明の趣旨を逸脱しない範囲で、上記した実施の形態における構成要素を周知の構成要素に置き換えることは適宜可能である。
【符号の説明】
【００７２】
１・・・時計  ７，７Ｂ・・・日針  １０・・・オートカレンダ機構  ２５・・・小月日回し車  ２７・・・月カム  ２７ａ〜２７ｅ・・・凸部  ３０・・・小月日送りレバー  ３５・・・小月日送りつめ  ４０・・・日回し車  ４２・・・日回しつめ  ５０・・・日車  ５１・・・日車歯部（歯部）  ５３・・・月末つめ  ６１・・・日カム  ６３・・・最外部  ６４・・・最内部  ７０・・・針レバー  ７１・・・従節部  ７４・・・レバー歯部  ７５・・・月送りつめ  ７８・・・戻し車（付勢部材）  ８０・・・月車  １００・・・ムーブメント  Ｃ１・・・第一軸  Ｃ２・・・第二軸
【図１】
0006344739.tif 000002
【図２】
0006344739.tif 000003
【図３】
0006344739.tif 000004
【図４】
0006344739.tif 000005
【図５】
0006344739.tif 000006
【図６】
0006344739.tif 000007